(57)【特許請求の範囲】
【請求項１】
計測対象成分の縦磁化に対して３６０°の整数倍の回転を与えるパルス列において、
一部のＲＦパルスについては抑制対象成分の縦磁化に対して回転を与えないＲＦパルスとしたＤＥパルス（Driven Equilibriumパルス）を印加し、抑制対象成分の縦磁化に対しては３６０°の整数倍の回転を与えないことを特徴とするＲＦパルス印加方法。
【請求項２】
請求項１に記載のＲＦパルス印加方法において、
前記ＤＥパルスが９０°パルス−１８０°パルス−９０°パルスのパルス列であることを特徴とするＲＦパルス印加方法。
【請求項３】
請求項２に記載のＲＦパルス印加方法において、
前記１番目の９０°パルスは水に対して選択的に有効なパルスであり、
前記１８０°パルスおよび前記２番目の９０°パルスは水および脂肪に対して有効なパルスであることを特徴とするＲＦパルス印加方法。
【請求項４】
請求項２に記載のＲＦパルス印加方法において、
前記１番目の９０°パルスおよび前記２番目の９０°パルスは水および脂肪に対して有効なパルスであり、
前記１８０°パルスは水に対して選択的に有効なパルスであることを特徴とするＲＦパルス印加方法。
【請求項５】
請求項２に記載のＲＦパルス印加方法において、
前記１番目の９０°パルスおよび前記１８０°パルスは水および脂肪に対して有効なパルスであり、
前記２番目の９０°パルスは水に対して選択的に有効なパルスであることを特徴とするＲＦパルス印加方法。
【請求項６】
請求項２に記載のＲＦパルス印加方法において、
前記１番目の９０°パルスおよび前記１８０°パルスは水に対して選択的に有効なパルスであり、
前記２番目の９０°パルスは水および脂肪に対して有効なパルスであることを特徴とするＲＦパルス印加方法。
【請求項７】
請求項２に記載のＲＦパルス印加方法において、
前記１番目の９０°パルスは水および脂肪に対して有効なパルスであり、
前記１８０°パルスおよび前記２番目の９０°パルスは水に対して選択的に有効なパルスであることを特徴とするＲＦパルス印加方法。
【請求項８】
請求項２に記載のＲＦパルス印加方法において、
前記１番目の９０°パルスおよび前記２番目の９０°パルスは水に対して選択的に有効なパルスであり、
前記１８０°パルスは水および脂肪に対して有効なパルスであることを特徴とするＲＦパルス印加方法。
【請求項９】
計測対象成分の縦磁化に対して３６０°の整数倍の回転を与えるパルス列において、一部のＲＦパルスについては抑制対象成分の縦磁化に対して回転を与えないＲＦパルスとしたＤＥパルスを印加するＤＥパルス印加手段を具備したことを特徴とするＭＲＩ装置。
【請求項１０】
請求項９に記載のＭＲＩ装置において、
前記ＤＥパルスが９０°パルス−１８０°パルス−９０°パルスのパルス列であることを特徴とするＭＲＩ装置。
【請求項１１】
請求項１０に記載のＭＲＩ装置において、
前記１番目の９０°パルスは水に対して選択的に有効なパルスであり、
前記１８０°パルスおよび前記２番目の９０°パルスは水および脂肪に対して有効なパルスであることを特徴とするＭＲＩ装置。
【請求項１２】
請求項１０に記載のＭＲＩ装置において、
前記１番目の９０°パルスおよび前記２番目の９０°パルスは水および脂肪に対して有効なパルスであり、
前記１８０°パルスは水に対して選択的に有効なパルスであることを特徴とするＭＲＩ装置。
【請求項１３】
請求項１０に記載のＭＲＩ装置において、
前記１番目の９０°パルスおよび前記１８０°パルスは水および脂肪に対して有効なパルスであり、
前記２番目の９０°パルスは水に対して選択的に有効なパルスであることを特徴とするＭＲＩ装置。
【請求項１４】
請求項１０に記載のＭＲＩ装置において、
前記１番目の９０°パルスおよび前記１８０°パルスは水に対して選択的に有効なパルスであり、
前記２番目の９０°パルスは水および脂肪に対して有効なパルスであることを特徴とするＭＲＩ装置。
【請求項１５】
請求項１０に記載のＭＲＩ装置において、
前記１番目の９０°パルスは水および脂肪に対して有効なパルスであり、
前記１８０°パルスおよび前記２番目の９０°パルスは水に対して選択的に有効なパルスであることを特徴とするＭＲＩ装置。
【請求項１６】
請求項１０に記載のＭＲＩ装置において、
前記１番目の９０°パルスおよび前記２番目の９０°パルスは水に対して選択的に有効なパルスであり、
前記１８０°パルスは水および脂肪に対して有効なパルスであることを特徴とするＭＲＩ装置。
【発明の詳細な説明】
【技術分野】
【０００１】
本発明は、ＲＦ（Radio Frequency）パルス印加方法およびＭＲＩ（Magnetic Resonance Imaging）装置に関し、更に詳しくは、短い先行パルス印加時間でＴ２強調および特定成分からの信号抑制を行うことが出来るＲＦパルス印加方法およびＭＲＩ装置に関する。
【背景技術】
【０００２】
従来、Ｔ２強調用先行パルスとして使われるＤＥパルス（Driven Equilibrium Pulse）を印加する技術が知られている（例えば非特許文献１参照。）。
また、特定成分からの信号を抑制するために飽和パルス（Saturation Pulse）を印加する技術が知られている（例えば非特許文献１参照。）。
【非特許文献１】荒木力、杉村和朗編集「ＭＲＩ・ＣＴ用語辞典」第２頁−第３頁、第１０１頁、メジカルビュー社 (2000年11月10日発行)
【発明の開示】
【発明が解決しようとする課題】
【０００３】
Ｔ２強調および特定成分からの信号抑制の両方を行いたい場合、ＤＥパルスおよび飽和パルスを順に先行パルス（Preparation Pulse）として印加すればよい。
しかし、ＤＥパルスおよび飽和パルスを順に印加すると、先行パルスの印加に要する時間が長くなってしまう問題点がある。
そこで、本発明の目的は、短い先行パルス印加時間でＴ２強調および特定成分からの信号抑制を行うことが出来るＲＦパルス印加方法およびＭＲＩ装置を提供することにある。
【課題を解決するための手段】
【０００４】
第１の観点では、本発明は、計測対象成分の縦磁化に対して３６０°の整数倍の回転を与えるパルス列中の一部のＲＦパルスについては抑制対象成分の縦磁化に対して回転を与えないＲＦパルスとしたＤＥパルスを印加し、抑制対象成分の縦磁化に対しては３６０°の整数倍の回転を与えないことを特徴とするＲＦパルス印加方法を提供する。
上記第１の観点によるＲＦパルス印加方法では、計測対象成分の縦磁化に対しては３６０°の整数倍の回転を与えるため、Ｔ２強調の効果が得られる。他方、抑制対象成分の縦磁化に対しては３６０°の整数倍の回転を与えないため、元の縦磁化に回復せず、信号を抑制する効果が得られる。そして、ＤＥパルスの印加時間だけで済むため、先行パルスの印加に要する時間が長くならない。
【０００５】
第２の観点では、本発明は、前記第１の観点によるＲＦパルス印加方法において、前記ＤＥパルスが９０°パルス−１８０°パルス−９０°パルスのパルス列であることを特徴とするＲＦパルス印加方法を提供する。
上記第２の観点によるＲＦパルス印加方法では、計測対象成分の縦磁化に対して３６０°の回転を与えるため、元の縦磁化に戻すことが出来る。
【０００６】
第３の観点では、本発明は、前記第２の観点によるＲＦパルス印加方法において、前記１番目の９０°パルスは水に対して選択的に有効なパルスであり、前記１８０°パルスおよび前記２番目の９０°パルスは水および脂肪に対して有効なパルスであることを特徴とするＲＦパルス印加方法を提供する。
上記第３の観点によるＲＦパルス印加方法では、計測対象成分の縦磁化に対しては３６０°の回転を与えるため、元の縦磁化に戻すことが出来る。他方、抑制対象成分の縦磁化に対しては２７０°の回転を与えるため、飽和パルスと同じ効果により信号を抑制することが出来る。
【０００７】
第４の観点では、本発明は、前記第２の観点によるＲＦパルス印加方法において、前記１番目の９０°パルスおよび前記２番目の９０°パルスは水および脂肪に対して有効なパルスであり、前記１８０°パルスは水に対して選択的に有効なパルスであることを特徴とするＲＦパルス印加方法を提供する。
上記第４の観点によるＲＦパルス印加方法では、計測対象成分の縦磁化に対しては３６０°の回転を与えるため、元の縦磁化に戻すことが出来る。他方、抑制対象成分の縦磁化に対しては１８０°の回転を与えるため、SpecＩＲパルス（Spectral Inversion Recovery Pulse）と同じ効果により信号を抑制することが出来る。
なお、SpecＩＲパルスについては非特許文献１の第９７頁に記載がある。
【０００８】
第５の観点では、本発明は、前記第２の観点によるＲＦパルス印加方法において、前記１番目の９０°パルスおよび前記１８０°パルスは水および脂肪に対して有効なパルスであり、前記２番目の９０°パルスは水に対して選択的に有効なパルスであることを特徴とするＲＦパルス印加方法を提供する。
上記第５の観点によるＲＦパルス印加方法では、計測対象成分の縦磁化に対しては３６０°の回転を与えるため、元の縦磁化に戻すことが出来る。他方、抑制対象成分の縦磁化に対しては２７０°の回転を与えるため、飽和パルスと同じ効果により信号を抑制することが出来る。
【０００９】
第６の観点では、本発明は、前記第２の観点によるＲＦパルス印加方法において、前記１番目の９０°パルスおよび前記１８０°パルスは水に対して選択的に有効なパルスであり、前記２番目の９０°パルスは水および脂肪に対して有効なパルスであることを特徴とするＲＦパルス印加方法を提供する。
上記第６の観点によるＲＦパルス印加方法では、計測対象成分の縦磁化に対しては３６０°の回転を与えるため、元の縦磁化に戻すことが出来る。他方、抑制対象成分の縦磁化に対しては９０°の回転を与えるため、飽和パルスと同じ効果により信号を抑制することが出来る。
【００１０】
第７の観点では、本発明は、前記第２の観点によるＲＦパルス印加方法において、前記１番目の９０°パルスは水および脂肪に対して有効なパルスであり、前記１８０°パルスおよび前記２番目の９０°パルスは水に対して選択的に有効なパルスであることを特徴とするＲＦパルス印加方法を提供する。
上記第７の観点によるＲＦパルス印加方法では、計測対象成分の縦磁化に対しては３６０°の回転を与えるため、元の縦磁化に戻すことが出来る。他方、抑制対象成分の縦磁化に対しては９０°の回転を与えるため、飽和パルスと同じ効果により信号を抑制することが出来る。
【００１１】
第８の観点では、本発明は、前記第２の観点によるＲＦパルス印加方法において、前記１番目の９０°パルスおよび前記２番目の９０°パルスは水に対して選択的に有効なパルスであり、前記１８０°パルスは水および脂肪に対して有効なパルスであることを特徴とするＲＦパルス印加方法を提供する。
上記第８の観点によるＲＦパルス印加方法では、計測対象成分の縦磁化に対しては３６０°の回転を与えるため、元の縦磁化に戻すことが出来る。他方、抑制対象成分の縦磁化に対しては１８０°の回転を与えるため、SpecＩＲパルスと同じ効果により信号を抑制することが出来る。
【００１２】
第９の観点では、本発明は、計測対象成分の縦磁化に対して３６０°の整数倍の回転を与えるパルス列中の一部のＲＦパルスについては抑制対象成分の縦磁化に対して回転を与えないＲＦパルスとしたＤＥパルスを印加するＤＥパルス印加手段を具備したことを特徴とするＭＲＩ装置を提供する。
上記第９の観点によるＭＲＩ装置では、前記第１の観点によるＲＦパルス印加方法を好適に実施できる。
【００１３】
第１０の観点では、本発明は、前記第９の観点によるＭＲＩ装置において、前記ＤＥパルスが９０°パルス−１８０°パルス−９０°パルスのパルス列であることを特徴とするＭＲＩ装置を提供する。
上記第１０の観点によるＭＲＩ装置では、前記第２の観点によるＲＦパルス印加方法を好適に実施できる。
【００１４】
第１１の観点では、本発明は、前記第１０の観点によるＭＲＩ装置において、前記１番目の９０°パルスは水に対して選択的に有効なパルスであり、前記１８０°パルスおよび前記２番目の９０°パルスは水および脂肪に対して有効なパルスであることを特徴とするＭＲＩ装置を提供する。
上記第１１の観点によるＭＲＩ装置では、前記第３の観点によるＲＦパルス印加方法を好適に実施できる。
【００１５】
第１２の観点では、本発明は、前記第１０の観点によるＭＲＩ装置において、前記１番目の９０°パルスおよび前記２番目の９０°パルスは水および脂肪に対して有効なパルスであり、前記１８０°パルスは水に対して選択的に有効なパルスであることを特徴とするＭＲＩ装置を提供する。
上記第１２の観点によるＭＲＩ装置では、前記第４の観点によるＲＦパルス印加方法を好適に実施できる。
【００１６】
第１３の観点では、本発明は、前記第１０の観点によるＭＲＩ装置において、前記１番目の９０°パルスおよび前記１８０°パルスは水および脂肪に対して有効なパルスであり、前記２番目の９０°パルスは水に対して選択的に有効なパルスであることを特徴とするＭＲＩ装置を提供する。
上記第１３の観点によるＭＲＩ装置では、前記第５の観点によるＲＦパルス印加方法を好適に実施できる。
【００１７】
第１４の観点では、本発明は、前記第１０の観点によるＭＲＩ装置において、前記１番目の９０°パルスおよび前記１８０°パルスは水に対して選択的に有効なパルスであり、前記２番目の９０°パルスは水および脂肪に対して有効なパルスであることを特徴とするＭＲＩ装置を提供する。
上記第１４の観点によるＭＲＩ装置では、前記第６の観点によるＲＦパルス印加方法を好適に実施できる。
【００１８】
第１５の観点では、本発明は、前記第１０の観点によるＭＲＩ装置において、前記１番目の９０°パルスは水および脂肪に対して有効なパルスであり、前記１８０°パルスおよび前記２番目の９０°パルスは水に対して選択的に有効なパルスであることを特徴とするＭＲＩ装置を提供する。
上記第１５の観点によるＭＲＩ装置では、前記第７の観点によるＲＦパルス印加方法を好適に実施できる。
【００１９】
第１６の観点では、本発明は、前記第１０の観点によるＭＲＩ装置において、前記１番目の９０°パルスおよび前記２番目の９０°パルスは水に対して選択的に有効なパルスであり、前記１８０°パルスは水および脂肪に対して有効なパルスであることを特徴とするＭＲＩ装置を提供する。
上記第１６の観点によるＭＲＩ装置では、前記第８の観点によるＲＦパルス印加方法を好適に実施できる。
【発明の効果】
【００２０】
本発明のＲＦパルス印加方法およびＭＲＩ装置によれば、短い時間でＴ２強調および特定成分からの信号抑制を行うことが出来る。
【発明を実施するための最良の形態】
【００２１】
以下、図に示す実施の形態により本発明をさらに詳細に説明する。なお、これにより本発明が限定されるものではない。
【実施例１】
【００２２】
図１は、実施例１にかかるＭＲＩ装置１００を示すブロック図である。
このＭＲＩ装置１００において、マグネットアセンブリ１０１は、内部に被検体を挿入するための空間部分（ボア）を有し、この空間部分を取りまくようにして、被検体に一定の静磁場を印加する静磁場コイル１０１Ｃと、Ｘ軸，Ｙ軸，Ｚ軸の勾配磁場を発生するための勾配コイル１０１Ｇと、被検体内の原子核のスピンを励起するためのＲＦパルスを与える送信コイル１０１Ｔと、被検体からのＮＭＲ信号を受信するための受信コイル１０１Ｒとが配置されている。
【００２３】
ここで、送信コイル１０１Ｔおよび受信コイル１０１Ｒが共にボディコイルの場合もあるし、送信コイル１０１Ｔがボディコイルで受信コイル１０１Ｒがサーフェイスコイルの場合もある。
【００２４】
静磁場コイル１０１Ｃは、静磁場電源１０２に接続されている。勾配コイル１０１Ｇは、勾配コイル駆動回路１０３に接続されている。送信コイル１０１Ｔは、ＲＦ電力増幅器１０４に接続されている。また、受信コイル１０１Ｒは、前置増幅器１０５に接続されている。
なお、静磁場コイル１０１Ｃの代わりに永久磁石を用いてもよい。
【００２５】
シーケンス記憶回路１０８は、計算機１０７からの指令に従い、記憶しているパルスシーケンスに基づいて勾配コイル駆動回路１０３を操作し、勾配コイル１０１Ｇから勾配磁場を発生させると共に、ゲート変調回路１０９を操作し、ＲＦ発振回路１１０の搬送波出力信号を所定タイミング・所定包絡線形状・所定位相のパルス状信号に変調し、それをＲＦパルスとしてＲＦ電力増幅器１０４に加え、ＲＦ電力増幅器１０４でパワー増幅した後、送信コイル１０１Ｔに印加する。
【００２６】
レシーバ１１２は、ＮＭＲ信号をデジタル信号に変換し、計算機１０７に入力する。
【００２７】
計算機１０７は、レシーバ１１２からデジタル信号を読み込み、処理を施して、ＭＲ画像を生成する。また、計算機１０７は、操作卓１１３から入力された情報を受け取るなどの全体的な制御を受け持つ。
表示装置１０６は、画像やメッセージを表示する。
【００２８】
図２は、実施例１に係るＲＦパルス印加処理を示すフロー図である。
ステップＪ１では、図３に示すようにＤＥパルスＲｓを印加する。
【００２９】
図３に示すＤＥパルスＲｓは、９０°パルスＲ１−１８０°パルスＲ２−９０°パルスＲ３のパルス列である。第１の９０°パルスＲ１は、水に対して選択的に有効なパルスであり、水の縦磁化をｘ軸を回転軸として９０°回転させる。これを図３では「Ｗ９０ｘ」と表現している。１８０°パルスＲ２は、水および脂肪に対して有効なパルスであり、水および脂肪の縦磁化をｘ軸を回転軸として１８０°回転させる。これを図３では「１８０ｘ」と表現している。第２の９０°パルスＲ３は、水および脂肪に対して有効なパルスであり、水および脂肪の縦磁化をｘ軸を回転軸として９０°回転させる。これを図３では「９０ｘ」と表現している。従って、ＤＥパルスＲｓによって水の縦磁化は３６０°回転し、脂肪の縦磁化は２７０°回転する。なお、ＤＥパルスＲｓの後、任意の軸にキラーパルスＫを印加する。
【００３０】
図２に戻り、ステップＪ２では、図３に示すようにイメージング用パルスＰｓを印加する。そして、イメージング用データを収集する。このイメージング用データを収集するパルスシーケンスは、例えばグラジエントエコー（Gradient Echo）系のパルスシーケンスである。
【００３１】
実施例１のＭＲＩ装置１００によれば、次の効果が得られる。
（１）ＤＥパルスＲｓによって水の縦磁化は３６０°回転し、従来のＤＥパルスと同様にＴ２強調の効果が得られる。
（２）脂肪の縦磁化は２７０°回転し、元の縦磁化に回復しないため、信号を抑制する効果が得られる。
（３）ＤＥパルスＲｓの印加時間だけで済むため、先行パルスの印加に要する時間が長くならない。
【００３２】
変形例としては、「Ｗ９０ｘ」−「１８０ｙ」−「−９０ｘ」すなわち水の縦磁化をｘ軸を回転軸として９０°回転させるＲＦパルス−水および脂肪の縦磁化をｙ軸を回転軸として１８０°回転させるのＲＦパルス−水および脂肪の縦磁化をｘ軸を回転軸として−９０°回転させるＲＦパルスからなるパルス列を用いてもよい。
また、「Ｗ１００ｘ」−「１８０ｘ」−「８０ｘ」すなわち水の縦磁化をｘ軸を回転軸として１００°回転させるＲＦパルス−水および脂肪の縦磁化をｘ軸を回転軸として１８０°回転させるのＲＦパルス−水および脂肪の縦磁化をｘ軸を回転軸として８０°回転させるＲＦパルスからなるパルス列を用いてもよい。
【実施例２】
【００３３】
図４に示すごときＤＥパルスＲｓを用いてもよい。
図４に示すＤＥパルスＲｓは、９０°パルスＲ１−１８０°パルスＲ２−９０°パルスＲ３のパルス列である。第１の９０°パルスＲ１は、水および脂肪に対して有効なパルスであり、水および脂肪の縦磁化をｘ軸を回転軸として９０°回転させる。これを図４では「９０ｘ」と表現している。１８０°パルスＲ２は、水に対して選択的に有効なパルスであり、水の縦磁化をｘ軸を回転軸として１８０°回転させる。これを図４では「Ｗ１８０ｘ」と表現している。第２の９０°パルスＲ３は、水および脂肪に対して有効なパルスであり、水および脂肪の縦磁化をｘ軸を回転軸として９０°回転させる。これを図４では「９０ｘ」と表現している。従って、ＤＥパルスＲｓによって水の縦磁化は３６０°回転し、脂肪の縦磁化は１８０°回転する。なお、ＤＥパルスＲｓの後、任意の軸にキラーパルスＫを印加する。
【００３４】
実施例２のＭＲＩ装置によれば、次の効果が得られる。
（１）ＤＥパルスＲｓによって水の縦磁化は３６０°回転し、従来のＤＥパルスと同様にＴ２強調の効果が得られる。
（２）脂肪の縦磁化は１８０°回転し、従来のSpecＩＲパルスと同じ効果により脂肪の信号を抑制することが出来る。
（３）ＤＥパルスＲｓの印加時間だけで済むため、先行パルスの印加に要する時間が長くならない。
【実施例３】
【００３５】
図５に示すごときＤＥパルスＲｓを用いてもよい。
図５に示すＤＥパルスＲｓは、９０°パルスＲ１−１８０°パルスＲ２−９０°パルスＲ３のパルス列である。第１の９０°パルスＲ１は、水および脂肪に対して有効なパルスであり、水および脂肪の縦磁化をｘ軸を回転軸として９０°回転させる。これを図５では「９０ｘ」と表現している。１８０°パルスＲ２は、水および脂肪に対して有効なパルスであり、水および脂肪の縦磁化をｘ軸を回転軸として１８０°回転させる。これを図５では「１８０ｘ」と表現している。第２の９０°パルスＲ３は、水に対して選択的に有効なパルスであり、水の縦磁化をｘ軸を回転軸として９０°回転させる。これを図５では「Ｗ９０ｘ」と表現している。従って、ＤＥパルスＲｓによって水の縦磁化は３６０°回転し、脂肪の縦磁化は２７０°回転する。なお、ＤＥパルスＲｓの後、任意の軸にキラーパルスＫを印加する。
【００３６】
実施例３のＭＲＩ装置によれば、次の効果が得られる。
（１）ＤＥパルスＲｓによって水の縦磁化は３６０°回転し、従来のＤＥパルスと同様にＴ２強調の効果が得られる。
（２）脂肪の縦磁化は２７０°回転し、元の縦磁化に回復しないため、信号を抑制する効果が得られる。
（３）ＤＥパルスＲｓの印加時間だけで済むため、先行パルスの印加に要する時間が長くならない。
【００３７】
変形例としては、「９０ｘ」−「１８０ｙ」−「Ｗ−９０ｘ」すなわち水および脂肪の縦磁化をｘ軸を回転軸として９０°回転させるＲＦパルス−水および脂肪の縦磁化をｙ軸を回転軸として１８０°回転させるのＲＦパルス−水の縦磁化をｘ軸を回転軸として−９０°回転させるＲＦパルスからなるパルス列を用いてもよい。
【実施例４】
【００３８】
図６に示すごときＤＥパルスＲｓを用いてもよい。
図６に示すＤＥパルスＲｓは、９０°パルスＲ１−１８０°パルスＲ２−９０°パルスＲ３のパルス列である。第１の９０°パルスＲ１は、水に対して選択的に有効なパルスであり、水の縦磁化をｘ軸を回転軸として９０°回転させる。これを図６では「Ｗ９０ｘ」と表現している。１８０°パルスＲ２は、水に対して選択的に有効なパルスであり、水の縦磁化をｘ軸を回転軸として１８０°回転させる。これを図６では「Ｗ１８０ｘ」と表現している。第２の９０°パルスＲ３は、水および脂肪に対して有効なパルスであり、水および脂肪の縦磁化をｘ軸を回転軸として９０°回転させる。これを図６では「９０ｘ」と表現している。従って、ＤＥパルスＲｓによって水の縦磁化は３６０°回転し、脂肪の縦磁化は９０°回転する。なお、ＤＥパルスＲｓの後、任意の軸にキラーパルスＫを印加する。
【００３９】
実施例４のＭＲＩ装置によれば、次の効果が得られる。
（１）ＤＥパルスＲｓによって水の縦磁化は３６０°回転し、従来のＤＥパルスと同様にＴ２強調の効果が得られる。
（２）脂肪の縦磁化は９０°回転し、元の縦磁化に回復しないため、信号を抑制する効果が得られる。
（３）ＤＥパルスＲｓの印加時間だけで済むため、先行パルスの印加に要する時間が長くならない。
【実施例５】
【００４０】
図７に示すごときＤＥパルスＲｓを用いてもよい。
図７に示すＤＥパルスＲｓは、９０°パルスＲ１−１８０°パルスＲ２−９０°パルスＲ３のパルス列である。第１の９０°パルスＲ１は、水および脂肪に対して有効なパルスであり、水および脂肪の縦磁化をｘ軸を回転軸として９０°回転させる。これを図７では「９０ｘ」と表現している。１８０°パルスＲ２は、水に対して選択的に有効なパルスであり、水の縦磁化をｘ軸を回転軸として１８０°回転させる。これを図７では「Ｗ１８０ｘ」と表現している。第２の９０°パルスＲ３は、水に対して選択的に有効なパルスであり、水の縦磁化をｘ軸を回転軸として９０°回転させる。これを図７では「Ｗ９０ｘ」と表現している。従って、ＤＥパルスＲｓによって水の縦磁化は３６０°回転し、脂肪の縦磁化は９０°回転する。なお、ＤＥパルスＲｓの後、任意の軸にキラーパルスＫを印加する。
【００４１】
実施例５のＭＲＩ装置によれば、次の効果が得られる。
（１）ＤＥパルスＲｓによって水の縦磁化は３６０°回転し、従来のＤＥパルスと同様にＴ２強調の効果が得られる。
（２）脂肪の縦磁化は９０°回転し、元の縦磁化に回復しないため、信号を抑制する効果が得られる。
（３）ＤＥパルスＲｓの印加時間だけで済むため、先行パルスの印加に要する時間が長くならない。
【実施例６】
【００４２】
図８に示すごときＤＥパルスＲｓを用いてもよい。
図８に示すＤＥパルスＲｓは、９０°パルスＲ１−１８０°パルスＲ２−９０°パルスＲ３のパルス列である。第１の９０°パルスＲ１は、水に対して選択的に有効なパルスであり、水の縦磁化をｘ軸を回転軸として９０°回転させる。これを図８では「Ｗ９０ｘ」と表現している。１８０°パルスＲ２は、水および脂肪に対して有効なパルスであり、水および脂肪の縦磁化をｘ軸を回転軸として１８０°回転させる。これを図８では「１８０ｘ」と表現している。第２の９０°パルスＲ３は、水に対して選択的に有効なパルスであり、水の縦磁化をｘ軸を回転軸として９０°回転させる。これを図８では「Ｗ９０ｘ」と表現している。従って、ＤＥパルスＲｓによって水の縦磁化は３６０°回転し、脂肪の縦磁化は１８０°回転する。なお、ＤＥパルスＲｓの後、任意の軸にキラーパルスＫを印加する。
【００４３】
実施例６のＭＲＩ装置によれば、次の効果が得られる。
（１）ＤＥパルスＲｓによって水の縦磁化は３６０°回転し、従来のＤＥパルスと同様にＴ２強調の効果が得られる。
（２）脂肪の縦磁化は１８０°回転し、従来のSpecＩＲパルスと同じ効果により脂肪の信号を抑制する効果が得られる。
（３）ＤＥパルスＲｓの印加時間だけで済むため、先行パルスの印加に要する時間が長くならない。
【００４４】
変形例としては、「Ｗ９０ｘ」−「１８０ｙ」−「Ｗ−９０ｘ」すなわち水の縦磁化をｘ軸を回転軸として９０°回転させるＲＦパルス−水および脂肪の縦磁化をｙ軸を回転軸として１８０°回転させるのＲＦパルス−水の縦磁化をｘ軸を回転軸として−９０°回転させるＲＦパルスからなるパルス列を用いてもよい。
【産業上の利用可能性】
【００４５】
本発明のＲＦパルス印加方法およびＭＲＩ装置は、例えば脂肪を抑制して水のＴ２強調ＭＲ画像を撮影するのに利用できる。
【図面の簡単な説明】
【００４６】
【図１】実施例１に係るＭＲＩ装置の構成を示すブロック図である。
【図２】実施例１に係るＲＦパルス印加処理を示すフロー図である。
【図３】実施例１に係るＤＥパルスおよびイメージング用パルスを示すタイムチャートである。
【図４】実施例２に係るＤＥパルスおよびイメージング用パルスを示すタイムチャートである。
【図５】実施例３に係るＤＥパルスおよびイメージング用パルスを示すタイムチャートである。
【図６】実施例４に係るＤＥパルスおよびイメージング用パルスを示すタイムチャートである。
【図７】実施例５に係るＤＥパルスおよびイメージング用パルスを示すタイムチャートである。
【図８】実施例６に係るＤＥパルスおよびイメージング用パルスを示すタイムチャートである。
【符号の説明】
【００４７】
１００                ＭＲＩ装置
１０１Ｔ              送信コイル
Ｒｓ                  ＤＥパルス
【図１】
0004739943.tif 000002
【図２】
0004739943.tif 000003
【図３】
0004739943.tif 000004
【図４】
0004739943.tif 000005
【図５】
0004739943.tif 000006
【図６】
0004739943.tif 000007
【図７】
0004739943.tif 000008
【図８】
0004739943.tif 000009